Podtech/llm-jp-corpus-v4-ja_patent huggingface dataset:
(57)【要約】【課題】  理美容などで鏡の反射を利用して、正面の鏡では見えない部分を簡単に確認する為のスタンド式の鏡を提供する。【解決手段】鏡に複数の支点を持つアームを設け、高さ調整付のスタンドと組み合わせる事により好きな位置に鏡を固定することができる、さらに、キャスターも付ける事により移動も容易になる。以上を特徴としたスタンド式の鏡。【選択図】  図１
2006297002.tif 000002
【特許請求の範囲】
【請求項１】
複数の鏡を回転支軸と回転支軸枠を介してポールに装着し、鏡を左右、上下、傾き角度を自由自在に可動させて頭部を映し、その鏡面に写った像を他の鏡に反射させて、顧客の頭部の理美容状態を顧客本人が、容易に確認できることができるようにしたスタンド式鏡。
【発明の詳細な説明】
【技術分野】
【０００１】本発明は理美容などで鏡の反射を利用して、正面の鏡では見えない部分を簡単に確認する為のスタンド式の鏡である。
【背景技術】
【０００２】  従来、理美容の仕事において技術の最中に、客は自分の正面しかみえないので、横、後の髪の状態は技術が終わってから手鏡をもって確認させていた。また、頭部のトラブル確認してもらう際、手鏡を持ちながら説明していた。
【発明の開示】
【発明が解決しようとする課題】
【０００３】  そのために、次のような問題点があった。
技術者が手鏡等を持って正面の鏡に写している為、ぶれて、見難く、両手で持つと口頭でしか説明できない。また、片手で持っても、さらにぶれて、片手でしか説明できない。このため、技術後に確認となると、やり直しの場合もたびたびある。
それで、手鏡を助手に持たせると２人がかりの仕事になってしまう。
本発明は以上の問題点を解決しようとするものである。
【課題を解決するための手段】
【０００４】  鏡に複数の支点を持つアームを設け、高さ調整付のスタンドと組み合わせる事により好きな位置に鏡を固定することができる。さらに、キャスターも付ける事により移動も容易になる。以上を特徴としたスタンド式の鏡である。
【発明の効果】
【０００５】  本発明によって、理美容においても仕事の最中でも、客が自分の頭部、髪等の正面の鏡では見えない部分が容易に見え確認出来る様になりコミニュケーションも円滑になる。
したがって、客も安心感ができ、技術も効率がよくなる。
【発明を実施するための最良の形態】
【０００６】  以下、本発明の実施の形態について説明する。
（イ）鏡（５）の中央に支点（１１）を設けコ字状の鏡枠（１）に装着する。
（ロ）鏡枠（１）の縦の中央に支点（１２）を設け回転支軸（２）に装着する。
（ハ）鏡枠（１）に設けた複数の鏡（５）を回転支軸（２）の中心に支点（１３）を設け回転支軸枠（３）に装着する。
（ニ）回転支軸枠（３）の縦の中央に支点（１４）を設けスタンド上部ポール（４）の上部に装着する。
（ホ）スタンドポールに取手（６）を装着し取手調整ネジ（７）で固定する。
（ヘ）キャスター（１０）付の高さ調整付スタンド（９）に、はめ込み高さ調整ネジ（８）で固定する。
（ト）支点（１１）（１２）（１３）（１４）パッキンを使用し半固定型にする。【０００７】また、鏡（５）の裏に拡大鏡を設ける事もできる。これにより拡大鏡により見たい部分を拡大して見る事が出来る。
本発明は、以上の構成よりなりたっている。
本発明を使用するときは、人の頭部、髪などが写っている正面鏡（１５）と、映っている人の横から後方に、スタンド式鏡を置き、鏡（５）を映し出したい箇所が正面鏡（１５）映る様に角度、高さ、傾きを調節し鏡の反射を利用して正面鏡（１５）に映し出す。したがって正面からでは見えない部分を正面鏡（１５）で確認できる。
また、複数の鏡（５）があるので、同時に２箇所映し出すことが出来る。
【図面の簡単な説明】
【０００８】
【図１】本発明の斜視図
【図２】本発明の支点による鏡の動作の説明図
【図３】本発明の支点による鏡の動作の分解図
【図４】本発明の分解斜視図
【図５】本発明の使用状態を示す斜視図
【符号の説明】
【０００９】    １    鏡枠
２    回転支軸
３    回転支軸枠
４    スタンド上部ポール
５    鏡
６    取手
７    取手調整ネジ
８    高さ調整ネジ
９    高さ調整付スタンド
１０  キャスター
１１  支点
１２  支点
１３  支点
１４  支点
１５  正面鏡
【図１】
2006297002.tif 000003
【図２】
2006297002.tif 000004
【図３】
2006297002.tif 000005
【図４】
2006297002.tif 000006
【図５】
2006297002.tif 000007
(57)【要約】【課題】数字選択式宝くじのミニロト、ロト６兼用型専用カードでは専用がゆえに、その購入所有比率は低かった。【解決手段】更にプラスアルファ、競馬、競輪、オートレース等の枠番及び番号予想と一般通常トランプを合体する事によって遊戯、予想の拡大に使用出来る優れものである。【選択図】図１
2006297008.tif 000002
【特許請求の範囲】
【請求項１】
既存のトランプにロト６、ミニロト、ナンバーズ４、ナンバーズ３、ｔｏｔｏサッカーくじ、ｔｏｔｏゴールくじ、競馬等の枠番、馬番予想の出来ることを特徴とする数字選択式宝くじ、ｔｏｔｏサッカーくじ予想兼用トランプカード。
【請求項２】
前記の予想の出来るとはトランプを斜め半分から対象に２分割しその半分に複数設けられたそれぞれの数字によって予想出来る事を特徴とする請求項１記載の数字選択式宝くじ、ｔｏｔｏサッカーくじ予想兼用トランプカード。
【請求項３】
数字選択式宝くじ、ｔｏｔｏサッカーくじ予想兼用トランプカードの中心には、１から４３までの数字が色分けされた円の中に記載されている。
【発明の詳細な説明】
【技術分野】
【０００１】  この発明は、通常のトランプとしての使用方法意外に数字選択式宝くじ（ロト６、ミニロト、ナンバーズ４、ナンバーズ３）の購入番号予想と、ｔｏｔｏサッカーくじ、ｔｏｔｏゴールくじ、競馬等の枠番号予想、馬番号予想等も兼用出来るトランプカードである。
【背景技術】
【０００２】  従来のトランプは、遊戯方法は数知れずありますが、もちろんトランプ遊戯専用。
また、数字選択式宝くじのミニロト、ロト６兼用型専用カードもある。（例えば、非特許文献１参照。）
【非特許文献１】ｙａｈｏｏオークション出品分（出品者ＩＤ：ｒｉｋｋａｄｏ９９１８）に「招福ロトナンカード」という名称でミニロト、ロト６、ナンバーズ専用カードはある。
【発明の開示】
【発明が解決しようとする課題】
【０００３】  以上に述べた従来の「トランプ」と「招福ロトナンカード」がありますが、予想となると電気計算機型又は、パソコンソフト等による数字選択式宝くじの予想方法はありましたが、手軽さがなかった。
そこで、この発明は、お手軽持ち運びもも楽々。更には人為的に確率をも操作できる優れものを提供することを課題とする。
【課題を解決するための手段】
【０００４】  以上の課題を解決するために、第一発明は、トランプを左右対称に斜め半分にしたことを特徴とする数字選択式宝くじ予想付トランプ。
また、第二発明は、ｔｏｔｏサッカーくじ、ｔｏｔｏゴールくじ予想付を特徴とするトランプ。  また、第三発明は、競馬、競輪、オートレース、競艇等の枠のある予想と番号予想。
【発明の効果】
【０００５】  いかなる場所でも、お手軽予想が可能になった。トランプ自体、一家にひとつは必ず必要な必需品である。
【発明を実施するための最良の形態】
【０００６】  この発明の一実施形態を、図１に示す。
数字選択式宝くじ、ｔｏｔｏサッカーくじ予想兼用トランプカードは、国際標準サイズのブリッジサイズで５８×８９ｍｍである。左右対称に斜め半分で区分けしている。半分は通常のトランプで、もう半分が予想選択する為のロト６、ミニロト、ナンバーズ４、ナンバーズ３、ｔｏｔｏサッカーくじ、ｔｏｔｏゴールくじ、競馬等の枠番、馬番予想数字が印刷されている。【０００７】「実施形態の効果」
この実施形態によれば、トランプ遊びをする時の右利きの人の持ち方（扇状態に広げた時）を優先にデザインされている。扇状態に広げた時にトランプを見ていただけたらトランプ遊戯上になんら差し支えなく視線を遮らず違和感なく使用出来る形態のデザイン印刷である。【０００８】「他の実施形態」
図１の実施形態では、トランプ遊びをする時の右利きの人の持ち方（扇状態に広げた時）を優先にデザインされている。又、左利き優先用としてのトランプは間逆に作成印刷されている。
【図面の簡単な説明】
【０００９】
【図１】この発明の一実施形態を示す図である。
【図２】従来技術通常のトランプを示す図である。
【符号の説明】
【００１０】１  ｔｏｔｏサッカーくじ予想専用
２  ｔｏｔｏゴールくじ予想専用
３  Ｍｉｎｉロト、ロト６、枠予想、番号予想に使用
４  ナンバーズ３＆４予想専用
５  既存のトランプとして使用
６  競馬、競輪、オートレース等の枠、番号予想に使用
【図１】
2006297008.tif 000003
【図２】
2006297008.tif 000004
(57)【要約】【課題】おれおれ詐欺、振り込め詐欺等の電信、電話詐欺防止機を提供する。【解決手段】電信、電話機に接続、若しくは内部に設置し、会話中の音声又は言葉が、記憶している音声又は言葉と一致するか、否か判断し、一致すれば詐欺防止ランプ(イ)が会話中に点灯すると、会話が終わり受話器を置くか又は受信をＯＦＦにすると、我にかえるような音(ニ)が鳴り、詐欺防止音声(ロ)も流れてくる。停止ボタン(ハ)を押すまで詐欺防止ランプ(イ)は消灯せず、詐欺防止音声(ロ)も流れることで目と耳で確認ができ、パニック状態になっている人間の心理状態を冷静にし、冷静になると本人に確認したり、第３者や、警察にも相談ができ判断を手助けしてくれて、示談金の請求に応じることがなくなり詐欺を未然に防ぐことができる。【選択図】図１
2006229313.tif 000002
【特許請求の範囲】
【請求項１】
会話中の音声又は言葉と記憶している音声又は言葉が一致すると詐欺防止ランプ(イ)が点灯し、音(ニ)が鳴り、詐欺防止音声(ロ)が流れてくる機能を備えたことを特徴とする、おれおれ詐欺、振り込め詐欺等の電信、電話詐欺防止機。
【発明の詳細な説明】
【技術分野】
【０００１】
本発明は、会話中の音声又は言葉と、記憶している音声又は言葉が一致すると詐欺防止ランプ(イ)が点灯する機能と、受話器を置くか又は、会話をＯＦＦにすると音(ニ)が鳴り、詐欺防止音声(ロ)が流れる機能と、停止ボタン(ハ)を押すまで詐欺防止ランプが点灯したままで、詐欺防止音声も流れる機能を有し、詐欺に遭わないことを実現するための、おれおれ詐欺、振り込め詐欺等の電信、電話詐欺防止機に関するものである。
【背景技術】
【０００２】
特表２０００−５０７７６９の公報検索しましたが異なりましたので実用上十分であった。
【０００３】
【特許文献１】特表２０００−５０７７６９公報
【発明の開示】
【発明が解決しようとする課題】
【０００４】
(１)人間１対１の状況で緊急事態の判断を迫られると誰でも動揺しやすくなる。
(２)パニック状態になり頭が真っ白になる。
(３)パニックになった時に直ぐ相談する人もいないので、騙す側には都合のよ
い存在である。
(４)冷静に判断ができない。
(５)人から何かを頼まれた時、断らざるを得ない心理状態になる。
(６)強引にきっかけを作り、断りにくくさせる。
(７)自分一人で判断をしようとする。
(８)示談金の請求にあっさり応じてしまう。
(９)騙される時の人間の心理状態になり、まんまと詐欺に引っかかってしまう。
「本発明はこれらの欠点を解決するためになされたものである。」
【課題を解決するための手段】
【０００５】
詐欺の被害に遭わないためには、会話中の音声又は言葉が、記憶している音声又は言葉と一致するか、否か判断し、一致すれば詐欺防止ランプ(イ)が点灯し、受話器を置くか会話をＯＦＦにすると音(ニ)が鳴り、詐欺防止音声(ロ)から“お金を直ぐに振り込まないこと”“本人に確認しよう”“第３者に相談しよう”“警察に相談しよう”“冷静に考えよう”“お金を大切にしよう”の音声が流れ、パニック状態になっている人間の心理状態を冷静にし、冷静な判断ができ示談金の請求に応じることがなくなる。
【発明の効果】
【０００６】
本発明は、(１)会話中に騙される心理状態になっている時に、詐欺ランプ(イ)が点灯し目で確認でき“おかしい”と判断する。
(２)会話中にパニック状態にならなくなる。
(３)受話器を置くか受信をOFFして、音(ニ)が鳴るとパニック状態で真っ白になっている頭がハッとして我にかえる。
(３)受話器を置くか受信をＯＦＦにすると、音(ニ)が鳴り詐欺防止音声(ロ)も流れてくるので、耳で聞くことで動揺している心理状態が冷静になって、冷静な判断ができる。
(４)冷静になると本人に確認でき、身内の者にも相談ができる。
(５)冷静になると第３者や、警察にも相談ができ判断を手助けしてくれる。
(６)示談金の請求に応じなくなる。
(７)目で詐欺防止ランプ(イ)を見て、耳で詐欺防止音声(ロ)を聞くことで詐欺の心理テクニックにも対応ができ、詐欺に遭わなくなる。
という利点がある。
【発明を実施するための最良の形態】
【０００７】
上記課題を、会話中の音声又は言葉と記憶している音声又は言葉が一致すると詐欺防止ランプ(イ)が点灯し、音(ニ)が鳴り、詐欺防止音声(ロ)が流れてくる機能を備えたことを特徴とする、おれおれ詐欺、振り込め詐欺等の電信、電話詐欺防止機として解決する。
【実施例１】
【０００８】
(１)本発明は電信、電話機に接続、若しくは内部へ設置するものである。
(２)電話の受話器を取るか又は受信をＯＮにすると同時に、おれおれ詐欺、振り込め詐欺等の電信、電話詐欺防止機がＯＮになる。
(３)会話中の音声又は言葉が、記憶している音声又は言葉と一致すると、詐欺防止ランプ(イ)が点灯する。
(４)詐欺防止ランプ(イ)は受話器を置くか又は受信をＯＦＦにしても停止ボタン(ハ)を押さないと消灯しない。
(５)会話中の音声又は言葉が、記憶している音声又は言葉と一致すれば、受話器を置くか受信をＯＦＦにすると音(ニ)が鳴り、詐欺防止音声(ロ)が流れてくる。
(６)音(ニ)は真っ白になっている頭をハッとするような音で何種類の中から選択が可能。
(７)詐欺防止音声(ロ)の内容は、
“おれおれ俺詐欺に引っかからないこと”
“振り込め詐欺に引っかからないこと”
“示談金、口座へ振り込めと言ったら詐欺と思え”
“お金は直ぐに振り込まないこと”  
“事実を確認しよう”
“本人に確認しよう”
“身内のものに相談しよう”
“第３者に相談しよう”
“警察に相談しよう”
“冷静に考えよう”
“お金を大切にしよう”
(８)音はパニック状態になっている頭を、ハッとして我に返るような音が良い。
(９)会話中には詐欺防止音声(ロ)が流れない。
(１０)停止ボタン(ハ)を押すまで詐欺防止音声(ロ)は流れる。
【図面の簡単な説明】
【０００９】
【図１】本案の外部斜視図
【符号の説明】
【００１０】
イ…詐欺防止ランプ。
ハ…詐欺防止ランプ消灯、詐欺防止音声停止ボタン。
１…スピーカー。
２…外線へ接続。
３…電話へ接続。
４…１００Ｖ電源へ接続。
【図１】
2006229313.tif 000003
(57)【要約】【課題】  広告のような映像が、一定の時刻、時間、回数だけ、放送されたことを監視するための簡便な装置を提供する。  【解決手段】  広告に電子透かしを埋め込んで放送し、この放送を受信して電子透かしを検出することにより、ある広告が何時、どれだけの時間放送されたかを監視する。  【選択図】  図1
2006229508.tif 000002
【特許請求の範囲】
【請求項１】
放送の監視システムにおいて、
広告に電子透かしを埋め込む装置と、
放送出力を受信して電子透かしを検出する装置と、
電子透かしを検出した時に時刻などを記録する記録装置から構成され、
広告が規定の時刻、時間、回数だけ放送された否かを監視するシステム。
【請求項２】
放送の監視システムにおいて、
広告にそれぞれの広告に対応したＩＤを電子透かしとして埋め込む電子透かし埋め込み装置と、
放送出力を受信して電子透かしを検出しＩＤを取り出す装置と、
そのＩＤに対応した広告が放送された時刻などを記録する記録装置から構成され、
広告が規定の時刻、時間、回数だけ放送されたことを監視するシステム。
【発明の詳細な説明】
【技術分野】
【０００１】
本発明は、放送を監視する装置で、広告のような映像が、規定の時刻、時間、回数だけ、放送されたことを監視する装置に関するものである。
【背景技術】
【０００２】
ＴＶ放送などで、ある広告が規定の時刻、時間、回数だけ放送されたか、チェックしたいというニーズがある。日本だけでも放送局は地方局も含めると１００局以上あり、その広告が全放送局で、きちんと出されているか人手でチェックするのは容易ではない。
【０００３】
このニーズに応えようとする従来の技術としては、放送された映像と元々の広告用映像の特徴量を算出して比較する、特許文献１の技術がある。
【０００４】
【特許文献１】特開2001-309263号公報
【発明の開示】
【発明が解決しようとする課題】
【０００５】
しかし、特許文献１の技術では、２つの映像のマッチングを行うためのパラメータを設定する必要があり、映像の内容やパラメータの設定によっては正常に機能するとは限らない。
【０００６】
さらにあらかじめ監視装置に、比較するための広告映像情報を入力しておかないといけない。これが運用コストを上げることになる。
【課題を解決するための手段】
【０００７】
本発明は、映像に埋め込む電子透かしの技術を用いて、放送内容を監視する装置に関するものである。具体的には、ある広告の映像が、規定の時刻、時間、回数だけ放送されたかを、電子透かしを検出することによって、チェックするものである。
【０００８】
電子透かしは、人間の目には殆ど分からないような微弱な情報を映像に埋め込み、これを電子的に検出する技術である。
【０００９】
映像の品質を落とさずに情報を埋め込む方法として、たとえば、
文献I.Echizen，H.Yoshiura，T.Arai，H. Kimura and T. Takeuchi: “General Quality Maintenance Module for Motion Picture Watermarking”，IEEE Trans. On Consumer Electronics，Vol.45，No.4，pp.1150-1158(1999).
に記載の技術がある。
【００１０】
また、知られているように、電子透かしを用いて，8〜64ビット程度の情報を埋め込むことが可能であるため、著作者のＩＤや、コンテンツの管理制御情報(コピー可／不可など)などを埋め込むことができる。
【００１１】
本発明では、広告にその広告映像固有のＩＤを埋め込む、電子透かし埋め込み装置と、放送波を受信して、映像から電子透かしを取り出す検出手段を持つ映像監視装置からなる。放送局側からは、電子透かしの入った広告と、一般の番組映像コンテンツを、切り替えて、放送波として送り出す。映像監視装置は、この放送波を受けて、映像を取り出し、電子透かしを検出する。電子透かしにはその広告特有のＩＤが入っているので、どの広告が何時、どの程度の時間、何回放送されたのかが分かる。
【発明の効果】
【００１２】
本発明によれば、電子透かしを用いることで、ある広告が何時どれだけの時間放送されたか、簡単に記録することが可能となる。
【発明を実施するための最良の形態】
【００１３】
広告のような映像が規定の時刻、時間、回数だけ、放送されたことを監視するという目的を、電子透かし技術を用いて実現した。
【実施例１】
【００１４】
図１は、本実施形態の構成を示すものである。放送局側に電子透かし埋め込み装置１がある。この埋め込み装置は、広告映像コンテンツ１０１に、透かしＩＤパターン１０２を埋め込む。電子透かしが埋め込まれた、透かし入り広告映像コンテンツ１０２は、切替え装置を経て、放送波として送りだされる。切替え装置は、番組映像コンテンツ１０４と透かし入り広告映像コンテンツ１０４を切り替えるもので、広告を規定の時刻、時間、回数だけ放送波として出力するためのものである。
【００１５】
本実施形態では、上述の電子透かし技術を使って、各広告に対応した映像コンテンツの管理番号などを、映像の品質を殆ど落とさずに埋め込む。
【００１６】
一方、放送受信側は、放送監視装置の中の、放送波受信装置１１は放送波を受信し、映像を取り出して、電子透かし検出装置に出力する。電子透かし検出装置１２は、映像から電子透かしＩＤパターンを取り出して、記録装置１３に送り出す。記録装置１３は、そのＩＤからどの広告が、何時、何時間、何回放送されたのか記録するものである。この記録データから、広告があらかじめ契約したとおり放送されているか、チェックできる。
【００１７】
広告は１５秒程度と短い映像が多く、また、再生装置によっては、映像のサイズが変わる可能性もある。このような影響を受けても正しく情報を検出する技術として、例えば、特願2004-016461に記載の技術がある。この技術によって、サイズが変わった広告からもあらかじめ埋め込んだ情報を正しく検出することができる。
【００１８】
本実施形態を、従来の映像比較による方法と比較すると、監視装置には、元々の広告映像情報が不要であるという大きな特徴がある。従来の技術では、あらかじめ広告映像情報をロードしておく必要があり、これが運用上大きな負担となっていた。これに対して、本実施形態では、電子透かしを検出するだけで、どの広告がどれだけ放送されたのか、算出できる。
【図面の簡単な説明】
【００１９】
【図１】本発明の実施例の説明図
【符号の説明】
【００２０】
１：電子透かし埋め込み装置，2：切替え装置，11：放送波受信装置，12：電子透かし検出装置，13：時刻など記録装置， 101：広告映像コンテンツ，102：透かしＩＤパターン，103：透かし入り広告映像コンテンツ，104：番組映像コンテンツ。
【図１】
2006229508.tif 000003
(57)【要約】【課題】  開閉型カメラ付き携帯端末の開閉ヒンジにカメラの受光部を設け、ここにズーム機能を有する光学ユニットを取り付けた場合、収納時、ディスプレー筐体を下部筐体に閉じるだけでなく、光学ユニントを収納する操作を別個に行わねばならず、面倒である。【解決手段】  ディスプレー筐体１１は、回転ヒンジ１２と受光軸で光学ユニット２１につながっている。ディスプレー筐体１１は受光軸を有していて、この受光軸の中心線と回転ヒンジ１２のヒンジ軸の中心線は一致している。光学ユニット２１と下部筐体３１は開閉ヒンジ２２でつながっている。【選択図】  図１
2006229913.tif 000002
【特許請求の範囲】
【請求項１】
ディスプレー筐体と光学ユニットとを受光軸でつないで回転可能とし、光学ユニットと下部筐体とを開閉ヒンジでつないで開閉する事を特徴とする、開閉型デジタルカメラ、又は開閉型カメラ付き携帯端末。
【請求項２】
前記、請求項１の開閉型デジタルカメラ、又は開閉型カメラ付き携帯端末で、ディスプレー筐体に固定された受光軸を設け、この受光軸に被写体からの光を取り入れる受光部を設け、これをデジタルカメラの受光部とし、この受光部を有する受光軸に、切り替え可能なレンズを搭載した光学ユニットを取り付け、この光学ユニットを回転させる事で、切り替えたレンズの光軸を受光部に合わせ、それにより被写体からの光を受光部に取り入れる事を特徴とするもの。
【請求項３】
前記、請求項１、又は請求項２の開閉型デジタルカメラ、又は開閉型カメラ付き携帯端末で、回転ヒンジを有していて、その回転ヒンジのヒンジ軸の中心線が受光軸の中心線と一致していて、ディスプレー筺体と、光学ユニットとが、受光軸だけでなく、回転ヒンジでも、つながっている事を特徴とするもの。
【請求項４】
前記、請求項３の開閉型デジタルカメラ、又は開閉型カメラ付き携帯端末で、受光軸が光学ユニットを貫通し回転ヒンジ部とつながっている事を特徴とするもの。
【請求項５】
前記、請求項３の開閉型デジタルカメラ、又は開閉型カメラ付き携帯端末で、受光軸が光学ユニットを貫通し回転ヒンジ部とつながっていない事を特徴とするもの。
【請求項６】
前記、請求項３、又は請求項４、又は請求項５の開閉型デジタルカメラ、又は開閉型カメラ付き携帯端末で、ディスプレー筐体の配線を回転ヒンジから開閉ヒンジを経て下部筐体にまで通す事を特徴とするもの。
【発明の詳細な説明】
【技術分野】
【０００１】  本発明は、ディスプレー筐体と光学ユニットとを受光軸でつないで回転可能とし、光学ユニットと下部筐体とを開閉ヒンジでつないで開閉する事を特徴とする、開閉型デジタルカメラ、又は開閉型カメラ付き携帯端末に関するものである。
【背景技術】
【０００２】  レンズの切り替えが可能な開閉型カメラ付き携帯端末に関しては、開閉ヒンジの内部に取り付けたカメラの受光部の回りを回転する接写用レンズを有する開閉型カメラ付き携帯端末が、すでに出願されている。
【特許文献１】特開２００４−１２９１５１号公報
【発明の開示】
【発明が解決しようとする課題】
【０００３】  開閉型カメラ付き携帯端末の開閉ヒンジにカメラの受光部を設け、ここにズーム機能を有する光学ユニットを取り付けた場合、収納時、ディスプレー筐体を下部筐体に閉じるだけでなく、光学ユニットを収納する操作を別個に行わねばならず、面倒である。
【課題を解決する為の手段】
【０００４】  本発明の、開閉型カメラ付き携帯端末はディスプレー筐体と、光学ユニットとを受光軸でつないで回転させ、さらに光学ユニットと下部筐体を開閉ヒンジでつないで開閉する。
【発明の効果】
【０００５】  本発明の、開閉型カメラ付き携帯端末は、収納時にディスプレー筐体を、下部筐体に閉じるだけで、光学ユニットを収納する事ができ、別個に光学ユニットを収納する操作を必要としない。
【発明を実施するための最良の形態】
【０００６】  本発明を請求項６の第六発明で説明する。開閉型カメラ付き携帯端末で、ディスプレー筐体に受光軸を設け、この受光軸に被写体からの光を取り入れる受光部を、軸に直角で、ディスプレーの背面方向に設け、これをカメラの受光部とし、この受光部を有する受光軸に、切り替え可能なレンズを搭載した光学ユニットを取り付け、この光学ユニットを回転させる事で、レンズの光軸を受光部に合わせ、それにより被写体からの光を受光部に取り入れる。【０００７】  受光軸内には、被写体からの光だけでなく、ディスプレーと下部筐体の操作キーとをつなぐ配線も通さねばならない。しかし、携帯端末は薄くしたいので、軸径を大きくする事ができず、その結果、配線に使われた分だけ軸内の断面積は小さくなり、カメラの撮像ユニットも小さくなってしまう。【０００８】  この問題を解決する為、光学ユニットと開閉ヒンジとの間に回転ヒンジを設け、ディスプレー筐体と光学ユニットとを、受光軸だけでなく、回転ヒンジでもつないで、回転ヒンジに配線を通す。配線は開閉ヒンジを経て下部筐体の操作キーにまでつなげる。
【実施例１】
【０００９】  図１は、本発明の請求項６の第六発明の実施例であって開閉型カメラ付き携帯端末のディスプレー筐体１１を閉じた状態の図である。光学ユニット２１と開閉ヒンジ２２との間に回転ヒンジ１２がある。【００１０】  ディスプレー筐体１１は、回転ヒンジ１２と受光軸で光学ユニット２１につながっている。ディスプレー筐体１１は受光軸を有していて、この受光軸の中心線と回転ヒンジ１２のヒンジ軸の中心線は一致している。光学ユニット２１と下部筐体３１は開閉ヒンジ２２でつながっている。下部筐体３１は操作キーを有している。【００１１】  光学ユニット２１は、１倍レンズ２３を有していて、図１の状態では受光軸の受光部には１倍レンズ２３から入った光が入っている。【００１２】  図２は、図１と同一の開閉型カメラ付き携帯端末のディスプレー筐体１１を開いて９０度右に回転させた状態のもので光学ユニット２１の有する広角レンズ２４の光軸の１８０度反対側は４倍レンズとなっており、図２では４倍レンズが使用可能となっている。
【図面の簡単な説明】
【００１３】
【図１】開閉型カメラ付き携帯端末のディスプレーを閉じた状態の説明図である。
【図２】開閉型カメラ付き携帯端末のディスプレーを開いた状態の説明図である。
【符号の説明】
【００１４】１１  ディスプレー筐体
１２  回転ヒンジ
１３  サブディスプレー
１４  カメラライト
１５  ディスプレー
１６  受話口
２１  光学ユニット
２２  開閉ヒンジ
２３  １倍レンズ
２４  広角レンズ
３１  下部筐体
３２  アンテナ
【図１】
2006229913.tif 000003
【図２】
2006229913.tif 000004
(57)【要約】【課題】小型の本体でもスピーカー位置を左右に回転移動させることにより大型なみの臨場感を楽しむことができるスピーカー移動装置を提供する。【解決手段】ラジカセ本体の両側下端部に回転軸を設けスピーカー部分を左右に回転移動することによってスピーカー間隔が広がるようにした。【選択図】図２
2006229912.tif 000002
【特許請求の範囲】
【請求項１】
ラジカセのスピーカー部分をラジカセ本体の両側下端部に設けた回転軸を介して左右外側に回転自在とし小型の本体でも大型なみの臨場感を楽しむ事がでまるようしたラジカセのスピーカー移動装置。
【発明の詳細な説明】
【技術分野】
【０００１】  本発明はスピーカーとアンプが一体化したオーディオ機器ラジカセのスピーカー部分を左右に回転移動拡大させ臨場感を増すためのものである。
【背景技術】
【０００２】  従来のラジカセはスピーカー部分はラジカセ本体左右に固定されていた。
【発明の開示】
【発明が解決しようとする課題】
【０００３】  そのために次ぎのような問題点があった。  （イ）左右のスピーカーが狭い範囲に固定されているため臨場感に不足感があった。  （ロ）左右のスピーカーを両側に広げた状態の固定で臨場感をだすには本体が大きくなる。
【課題を解決するための手段】
【０００４】  ラジカセ本体の両側下端部に回転軸を設けスピーカー部分を左右に回転移動することによってスピーカー間隔が広がるようにした。
【発明の効果】
【０００５】  小さな本体でもスピーカー位置を最大にひろげることにより大型なみの臨場感を楽しむことが出来る。
【発明を実施するための最良の形態】
【０００６】  以下、本発明の実施の形態について説明する。（イ）ラジカセ（１）のスピーカー（２）を左右外側下部にもうけた回転軸（３）によって左右両側に９０度回転させる。（ロ）回転させることによりスピーカー（２）間隔は拡大される。本発明は以上のような構成で臨場感のある音が楽しめる。
【図面の簡単な説明】
【０００７】
【図１】本発明の正面図
【図２】本発明の使用状態を示す平面図
【図３】本発明の断面図
【符号の説明】
【０００８】  １  ラジカセ本体  ２  スピーカー  ３  回転軸
【図１】
2006229912.tif 000003
【図２】
2006229912.tif 000004
【図３】
2006229912.tif 000005
(57)【要約】      （修正有）【課題】リモコンの電源ボタンでテレビのスイッチをオフすることによって、テレビの電源ランプも消すことができるようにする。【解決手段】リモコンへのソフトの入力により、この課題を解決する。【選択図】なし【特許請求の範囲】
【請求項１】
テレビの電源のランプをリモコンによって操作する方法です。
【発明の詳細な説明】
【技術分野】
【０００１】本発明は、テレビに関するものであり、テレビのリモコンの装置およびテレビ本体に工夫を加えることによって、テレビの電源をリモコンからでも消すことが出来、テレビ本体のランプを消すことが出来るようにしたものです。
【背景技術】
【０００２】従来からあるテレビのリモコンには、チャンネルか音声、ビデオを操作することが出来る。例として特許文献１や、非特許文献１に開示されているかもしれませんが私は存じません。
【発明の開示】
【発明が解決しようとする課題】
【０００３】しかし、従来のような，装置の機種では、電源と着るランプがついているため省エネできかねることが生じられます。本発明は、これを解消することにより、電源を消すことによって手元のランプも消えることによって電気の無駄ず使いをなくす様にしたものです。
【発明を実施するための手段】
【０００４】デジタルテレビの装置の一種として加える事が最良と思われますが、アナログテレビが使用されている現実においてもこの装置の機能は発揮されます。
【発明の効果】
【０００５】本発明により、テレビのリモコンで電源を切ることによってランプまでをも消すことが出来る様になるため動作が困難な時にも離れたところから操作できる為、リモコンによって自動的に電源のランプを消すことが出来る。電気の無駄使いをもなくすこととが出来る様になり現状の環境への配慮もなされると思います。
【発明を実施するための最良の形態】
【０００６】従来からあるリモコンの電源のスイッチでテレビのスイッチを消すことによって、テレビの電源ランプも付けたり消えたり出来ることが省エネにつながります。
【産業上の利用可能性】
【０００７】本発明によるテレビは、工業的に量産することが可能になる為産業上の利用可能性を有する。
(57)【要約】【課題】音声だけでは聞きたい番組を選択したい時、わからない場合が生じる可能性がある。【解決手段】前もって新聞やテレビガイド等の情報から入手する事により、課題を解決する。【選択図】なし【特許請求の範囲】
【請求項１】
テレビ゛から流れる音楽もしくは言葉をカセットテープ又はＭＤに吹き込む装置。
【発明の詳細な説明】
【技術分野】
【０００１】本発明は、テレビに関するものであり、テレビの装置に工夫を加えることによってテレビから，音声だけを録音出来る様にしたもです。
【背景技術】
【０００２】従来から娯楽用としての装置には、液晶テレビにＤＶＤを見ることが出来ることに利用されている他、ビデオを見たり録画することが出来る。例として，特許文献１や、非特許文献１に開示されているものがあるかもしれませんが，私は存じません。
【特許文献１】  存じません
【非特許文献１】  存じません
【発明の開示】
【発明が解決しようとする課題】
【０００３】しかし、従来のような，装置の機種では、音や声だけを聞く事が出来ず、ついつい画面を見てしまい、目の疲れなど生じてしまったりすることが考えられます。
本発明は、この他、後でゆっくりときことが出来る為、多方面で活用できます。
【発明を実施するための手段】
【０００４】デジタルテレビの装置の一種として加える事が最良と思われますが、アナログテレビが使用されている現実においてもこの装置の機能は発揮されます。
【発明の効果】
【０００５】本発明により、テレビの音声だけを後からゆっくりと聞くことが出来る事や他方面にわたり活用できます。
(57)【要約】      （修正有）【課題】支持線の径の多少の相違に対応して不都合なく適用でき、しかも、安価な柱間分線金物を提供する。【解決手段】対向して配する一対の挟持板１，１の一側に、支持線Ｃａの軸線に沿う一半側をそれぞれ係合する挟持溝４を設ける。また、挟持溝４側の前記一側に対応する他の一側の一半側に、対向する他の挟持側に設けた断面半円状の突条５が互いに係合する断面半円状の係合溝６を、また、他の一半側に前記他の挟持板１側に設けた断面半円状の係合溝６が互いに係合する断面半円状の突条５をそれぞれ設ける。そして、両挟持板１，１の前記係合溝６と突条５間には、前記一側と前記他の一側間の中央に設けた貫通孔に螺子杆部９を貫通させるフック金具２のフック部７を係合する切欠を設ける。さらに、前記貫通孔より突出する前記螺子杆部９の先端にナット３を螺合する。【選択図】図１
2006238632.tif 000002
【特許請求の範囲】
【請求項１】
対向して配する一対の挟持板の一側に、支持線の軸線に沿う一半側をそれぞれ係合する挟持溝を設け、該挟持溝側の前記一側に対応する他の一側の一半側に、対向する他の挟持側に設けた断面半円状の突条が互いに係合する断面半円状の係合溝を、また、他の一半側に前記他の挟持板側に設けた断面半円状の係合溝が互いに係合する断面半円状の突条をそれぞれ設けると共に、両挟持板の前記係合溝と突条間には、前記一側と前記他の一側間の中央に設けた貫通孔に螺子杆部を貫通させるフック金具のフック部を係合する切欠を設け、前記貫通孔より突出する前記螺子杆部の先端にナットを螺合した、柱間分線金物。
【発明の詳細な説明】
【技術分野】
【０００１】
本発明は、電柱間に架線した通信線などを一般需要家宅に分線引込む際に用いる柱間分線金物に関するものである。
【背景技術】
【０００２】
例えば、対向して配する一対の挟持板の一側に支持線の軸線に沿う一半側をそれぞれ係合する挟持溝を設け、両挟持板に設けた貫通孔に貫通させたフック金具の螺子杆部にナットを螺合して両挟持板を互いに締め付けるようにして、前記挟持溝に係合した支持線を挟持せしめ、フック金具のフック部に引留具を係止するようにした構造のものがある（例えば、特許文献１）。
【０００３】
【特許文献１】実開平１−５８２３１号公報
【発明の開示】
【発明が解決しようとする課題】
【０００４】
前記従来例は、相対する挟持溝間に係合した支持線を、フック金具とこれに螺合したナットによって、単に、互いに重ね合わせた挟持板を締め付けて挟持するようにした構成を採るため、設定した以上の大径な支持線を挟持する（支持線に取付ける）時は、両挟持板間に隙間が生じ、挟持状態（取付け状態）に安定を欠き、従って、支持線の径に対応する適用範囲が限られている。
【０００５】
本発明は、従来例の前記欠点に着目し、支持線の径の多少の相違に対応して、不都合なく適用できる柱間分線金物を提供することを目的として創案したものである。
【課題を解決するための手段】
【０００６】
対向して配する一対の挟持板の一側に、支持線の軸線に沿う一半側をそれぞれ係合する挟持溝を設け、該挟持溝側の前記一側に対応する他の一側の一半側に、対向する他の挟持側に設けた断面半円状の突条が互いに係合する断面半円状の係合溝を、また、他の一半側に前記他の挟持板側に設けた断面半円状の係合溝が互いに係合する断面半円状の突条をそれぞれ設けると共に、両挟持板の前記係合溝と突条間には、前記一側と前記他の一側間の中央に設けた貫通孔に螺子杆部を貫通させるフック金具のフック部を係合する切欠を設け、前記貫通孔より突出する前記螺子杆部の先端にナットを螺合した、構成とするのである。
【発明の効果】
【０００７】
本発明によれば、一対の挟持板は、一側側の係合溝と突条が互いに係合して回動することができるから、他側側の係合溝間の間隙の径の調節すなわち支持線の径の相違を吸収して種々の径の支持線に取付けて用いることができる。
【０００８】
また、各挟持板の一側側の一半を前記係合溝、他の一半を突条としたものであるから、一対の挟持板を互いに同形なもので構成でき、従って、在庫保管上好適にして、安価な製品を提供できる。
【実施例】
【０００９】
図面は本発明に係る柱間分線金物の一実施例を示し、図１は使用状態を示す斜視図、図２は背面図、図３は図２のａ−ａ線断面図である。
【００１０】
実施例の柱間分線金物Ａは、互いに同形な一対の挟持板１，１をフック金具２とこれに螺合したナット３によって互いに組付けて構成するものである。
【００１１】
挟持板１は、方形輪郭形状の金属盤で構成し、その背面の一側に断面半円状の挟持溝４を設け、該挟持溝４側の前記一側に対応する他の一側の一半側に断面半円状の突条５を、他の一半側（他の一側の）に該突条５の断面半円状とほぼ一致する断面半円状の係合溝６を設け、これら突条５と係合溝６間の中央には前記フック金具２のフック部７が係合する係合切欠８を設け、また、このフック部７側の前記他の一側と、挟持溝４側の前記一側との中間部の中央に、前記フック金具２の螺杆部９を貫通する貫通孔１０を設けて構成したものである。
【００１２】
フック金具２は、一端側を屈曲して前記フック部７、他の一端側を前記螺杆部９とした金属杆体で構成し、フック部７と螺杆部９との間に鍔状の緊締受１１を設けると共に、フック部７の先端部７ａを直線状と成して、前記螺杆部９との並行位置に配したものである。
【００１３】
そして、一対の挟持板１，１の背面（裏面）側同士が相対するように配して、一方の挟持板１の突条５を他の一方の挟持板１の係合溝６に、また、係合溝６を他の一方の突条５にそれぞれ係合し、貫通孔１０，１０にフック金具２の螺杆部９を貫通させて、その先端にナット３を螺合し、一方の挟持板１の突条５を他の一方の挟持板１の係合溝６に、また、係合溝６を他の一方の突条５にそれぞれ係合させるようにすると、互いに相対する挟持溝４，４間に係合間隙が形成されることになり、該係合間隙に自己支持型ケーブルＣの支持線Ｃａ部を介在させ、該介在状態を保持したままで、前記ナット３を締め付けると、挟持溝４，４は互いに近接して前記支持線Ｃａ部を挟持し、支持線Ｃａ部に柱間分線金物Ａは組付けられ、フック金具２のフック部７に係止した引留具Ｂを利用して引込み作業を行うのである。
【００１４】
なお、図示のものは、自己支持型ケーブルＣの支持線Ｃａに本件金物Ａを用いた使用例を示すが、所謂メッセンジャーワイヤーと称する支持線に組付けて用いる等図示の支持線Ｃａ以外のものにも本金物Ａは適用できる。
【図面の簡単な説明】
【００１５】
【図１】使用状態を示す斜視図。
【図２】背面図。
【図３】図２のａ−ａ線断面図。
【符号の説明】
【００１６】
１      挟持板
２      フック金具
４      挟持溝
５      突条
６      係合溝
７      フック部
８      切欠
９      螺子杆部
１０    貫通孔
【図１】
2006238632.tif 000003
【図２】
2006238632.tif 000004
【図３】
2006238632.tif 000005
(57)【要約】【課題】植鉢に植えられた植物は、植えてから数年もたてば、根詰まりし、植え替えする必要がある。これは熟練しないと失敗しやすく、また、手間がかかり、不要な用土、植鉢の処分も厄介である。さらに、使用する用土によっては、非常に重く、持ち運びに不便であるばかりでなく、植鉢が倒れた場合の用土の飛散、陶器鉢の場合、破損は避けられない。また、水管理の失敗で多い原因の一つが、水のやり過ぎによる根腐れである。【解決手段】ドーム形の網目状、または多孔状外壁に、栽培植物の根、及び、これを保護する苔を張り付け、植物と苔の根の成長とともに外壁と一体化して育つような栽培器とした。外壁内を中空にすることで、水を張った受け皿に置いて、過湿管理しても、適度な酸素、水分が植物の根に供給される仕組みであり、根腐れしにくく、また軽いので管理が楽である。また、根詰まりは外壁内の根を切り、整理することにより、簡単に解決できる。【選択図】図１
2006238737.tif 000002
【特許請求の範囲】
【請求項１】
ドーム形の網目状、または多孔状外壁に、栽培植物の根、及び、これを保護する苔を張り付けて、成長させることを特徴とする植物栽培器。外壁内を中空にすることで、水を張った受け皿に置いて、過湿管理しても、適度な酸素、水分が植物の根に供給される仕組みであり、根腐れしにくく、また軽いので管理が楽である
【発明の詳細な説明】
【技術分野】
【０００１】
この発明は、ドーム形の網目状外壁に植物の根、及び苔を張り付け、成長させる植物栽培器に関するものである。
【背景技術】
【０００２】
従来の鉢物は用土などを入れた植鉢に植物が植えられたものである。
【０００３】
【特許文献１】特開２００２−１５３１３２
【特許文献２】特開２０００−２１７４４９
【発明の開示】
【発明が解決しようとする課題】
【０００４】
しかしながら、以上の栽培方法のような、植鉢に植えられた植物は数年も経てば、根詰まりし、植え替えが必要になる。これは熟練しないと失敗しやすく、また、手間がかかり、不要な用土、植鉢の処分も厄介である。さらに、使用する用土、植鉢によっては、非常に重く、持ち運びに不便であるばかりでなく、植鉢が倒れた場合の用土の飛散、陶器鉢の場合、破損は避けられない。また、水管理の失敗で多い原因の一つが、水のやり過ぎによる根腐れである。
そこで、この発明は、植鉢、用土を使わず、植え替えの必要がない、管理が楽な植物栽培器を提供することを課題とする。
【課題を解決するための手段】
【０００５】
以上の課題を解決するために、ドーム形の網目状、または多孔状の固体外壁に植物の根が張り付くように工夫し、さらに、根を保護するため、この表面を苔で覆った。その後、植物と苔の成長とともに、根が外壁上、および外壁内へと伸び、外壁と一体化するような栽培器を発明した。
【発明の効果】
【０００６】
この発明により、用土、植鉢は必要なく、非常に軽い栽培器として、取り扱いが楽になり、根詰まりは外壁内の根を切り整理することで、簡単に防ぐことが出来るようになった。また、外壁上の苔は年中美しい緑を保ち、鑑賞価値も大きく向上した。外壁内が中空であるので、水を張った受け皿に置いて過湿管理しても根腐りの心配がなくなった。また、根詰まりは中空内の根を切り、整理することにより簡単に解決できる。
【発明を実施するための最良の形態】
【０００７】
外壁として、経年劣化しないステンレス製のドーム形の網を用い、この表面に、植物及び苔の根が張り付き易く、水分補給され易いように、根巻き用麻布を外壁に取り付け、この上に植物及び苔を張り付けて、数ヶ月を経た状態である。受け皿には常に水を張って管理する。
【実施例１】
【０００８】
図１は本発明器の１実施例の断面図であって、植物は外壁上、及び外壁内に伸びた根により、しっかりと外壁に固定され、また、使用した這い性の苔は互いに絡み合い、植物の根、及び外壁内に貼りつき、固定される。水を張った受け皿に置くことにより、苔が吸水し、植物の根に水分を補給するとともに、外壁内を適湿状態に保つので、最適な生育環境が確保される。用土、植鉢を使わず、また栽培器内が中空であるので軽く、また受け皿に常に水を張って管理しても過湿による根腐れも起こさないので、管理が至極簡単になった。
【実施例２】
【０００９】
本栽培器は図１の実施形態のような、水を溜められる、ごく一般的な皿の上に置いて管理すれば、充分目的は達せられるが、図２の実施形態の応用１では、深い受け皿を用い、この中に、毛細管現象が起きうるような隙間を確保出来る大きさのシャーレ状の皿を底が上になるように入れ、水が隙間を通って、外壁に供給されるようにした。これにより、水の補給回数を減らすことが出来る。また、外壁の上の一部を平坦にして、多くの植物を植えたり、石、キャラクターグッズ等を取り付ければ、多様な形の栽培器を作ることが出来る。本栽培器は非常に軽いことが大きな特長であり、円形状のリングで支えたり、ワイングラス等に載せられるような形の受け皿を用いれば、多様なディスプレイが可能となる。外壁はステンレス製の網を使用しているが、他の実施形態では多孔状、或いは網目状であれば、硬質のプラスチック或いは陶器、複合材でも良く、根巻き用麻布の代りに、根の絡み易い繊維の粗めの布を使用しても良い。
【実施例３】
【００１０】
外壁に凹状部を設け球根類の栽培が出来るようにした。実施形態の応用１と同じく、水の補給回数を減らす為、多くの水を貯えられる深めの受け皿を用い、栽培器の横ズレを防ぐ目的で設けた円筒の外周に、吸水性の高いスポンジ等を埋め込み、水を補給するようにした。
【図面の簡単な説明】
【００１１】
【図１】この発明の一実施形態を示す断面図である。
【図２】この発明の一実施形態を示す断面図である。
【図３】この発明の一実施形態を示す断面図である。
【符号の説明】
【００１２】
１  外壁（ステンレス製の網）      ２  苔
３  植物                          ４  受け皿
５  根巻き用麻布                  ６  水
７    石、キャラクターグッズ等    ８    取り付けネジ
９    毛細管現象によって上昇した水面
１０  シャーレ状の皿              １１  ワイングラス等
１２  吸湿性の高いスポンジ、綿    １３  横ずれ防止用円筒
【図１】
2006238737.tif 000003
【図２】
2006238737.tif 000004
【図３】
2006238737.tif 000005
(57)【要約】      （修正有）【課題】吸湿防止性に優れ、サクサクとした食感を得ることができるフライ削り節の製造方法の提供。【解決手段】（1）節類をスライスして削り節をつくり、これを加熱した油で揚げて調理するか、又は（2）該削り節を加熱した油で揚げ、油切りを行った後、熱い状態のまま粉末調味料をコーティングするか、あるいは（3）該削り節を加熱した油で揚げ、油切りを行った後、フライ削り節を一旦冷却し、再び加熱してから粉末調味料をコーティングする方法によりフライ削り節を調製する。【選択図】なし【特許請求の範囲】
【請求項１】
節類をスライスした削り節を加熱した油で揚げて調理することを特徴とするフライ削り節の製造方法。
【請求項２】
節類をスライスした削り節を加熱した油で揚げ、油切りを行った後、フライした前記削り節を強制冷却せず、熱い状態の前記削り節に粉末の調味料を接触させて、味付けコーティングをすることを特徴とするフライ削り節の製造方法。
【請求項３】
節類をスライスした削り節を加熱した油で揚げ、油切りを行った後、フライした前記削り節を冷却し、その後、前記削り節を加熱して前記削り節に粉末の調味料を接触させて、味付けコーティングをすることを特徴とするフライ削り節の製造方法。
【発明の詳細な説明】
【技術分野】
【０００１】
本発明は、フライ削り節の製造方法に係り、特に、吸湿性に優れ、サクサクとした食感を得ることができるフライ削り節の製造方法に関する。
【背景技術】
【０００２】
従来、味付けされた削り節を乾燥してふりかけに使用している（特許文献１等参照）。
【特許文献１】特許第３４３７０７８号公報
【発明の開示】
【発明が解決しようとする課題】
【０００３】
しかし、上記味付けされた削り節は、せっかく乾燥しているものの、温かいご飯の上にのせると、水分を吸収してしまい、食する際のカリカリ感、バリバリ感といった食感の点で改善の余地があった。
【０００４】
本発明の目的は、食感の改善を図ることができるようにしたフライ削り節の製造方法を提供することにある。
【課題を解決するための手段】
【０００５】
本発明のフライ削り節の製造方法は、節類をスライスした削り節を加熱した油で揚げて調理するものである。
【０００６】
また、請求項２記載のフライ削り節の製造方法は、節類をスライスした削り節を加熱した油で揚げ、油切りを行った後、フライした前記削り節を強制冷却せず、熱い状態の前記削り節に粉末の調味料を接触させて、味付けコーティングをするものである。
【０００７】
また、請求項３記載のフライ削り節の製造方法は、節類をスライスした削り節を加熱した油で揚げ、油切りを行った後、フライした前記削り節を冷却し、その後、前記削り節を加熱して前記削り節に粉末の調味料を接触させて、味付けコーティングをするものである。
【発明の効果】
【０００８】
請求項１記載のフライ削り節の製造方法によれば、削り節を加熱した油で揚げて調理するため、削り節の表面が油でコーティングされ、吸湿性に優れ、サクサクとした食感を得ることができる。
【０００９】
また、請求項２記載のフライ削り節の製造方法によれば、前述した請求項１記載の発明の効果に加え、フライした削り節を強制冷却せず、熱い状態の削り節に粉末の調味料を接触させるため、粉末の調味料を削り節に付着させることができる。
【００１０】
また、請求項３記載のフライ削り節の製造方法によれば、前述した請求項１記載の発明の効果に加え、加熱し、熱い状態の削り節に粉末の調味料を接触させるため、粉末の調味料を削り節に付着させることができる。
【発明を実施するための最良の形態】
【００１１】
本発明の一実施例について、説明する。フライ削り節の製造方法に使用するフライ削り節の原料は、魚体を煮熟、培乾して乾燥させた節類、例えば、鰹節をスライスした削り節で、スライスの程度は、例えば、図示しない削り機で２０μｍから１５０μｍ程度に薄く、帯削りであれば、幅３ｍｍから１０ｍｍ程度、平削りであれば、幅５ｍｍから４０ｍｍ程度で、長さについては、節類の大きさによって異なっても可能である。
【００１２】
上述したスライスした削り節を加熱した油で揚げて（フライ工程）調理する。この油は、植物油脂又は動物油脂等であり、より望ましくは、植物油脂又は動物油脂の融点温度が２７℃付近以上のもの、或いは、魚油、植物油等に水素を反応させ、融点の高い硬化油が良い。
硬化油で揚げた場合、削り節の表面の硬化油が常温で硬くなって、揚げた削り節のサクサクとした食感が得られる。フライする温度帯は、約１２０℃〜約２００℃で、時間は、数十秒から数分程度で、例えば、約１０秒〜約５分である。
【００１３】
フライ後、油で揚げた削り節を取り出し、すぐに遠心分離機（図示せず）、圧搾機（図示せず）等で油切りを行い、油で揚げた削り節を強制冷却せず、熱い状態の削り節に粉末の調味料（調味粉）［又は、液体の調味料］を接触させて、味付けコーティングを行う（味付け工程）。
なお、調味料としては、例えば、原材料として風味原料、醤油、砂糖、塩、みりん、グルタミン酸ナトリウムなどを適量配合したもので、適宜のもので良く、特に制限はなく、望ましくは、該調味料を乾燥させ、粉末状（調味粉）のものが良い。粉末調味料粉（調味粉）としては、例えば、原材料として、鰹パウダー５重量％、コハク酸ニナトリウム０．５重量％、グルタミン酸ナトリウム２０重量％、リボヌクレオチド二ナトリウム０．５重量％、グラニュー糖４０重量％、食塩１４重量％、粉末醤油２０重量％であり、油で揚げた削り節を油切りした１００ｇに対して、粉末調味料粉（調味粉）は約１５ｇ〜約２０ｇ程度使用する。
【００１４】
上述したフライ削り節の製造方法により得られた削り節は、その表面が油でコーティングされ、吸湿性に優れ、サクサクとした食感を得ることができ、例えば、ふりかけ、又は、ねぎ，タマネギ，もやし等の野菜類と共に、ヤキソバの具材等として利用することができる。
【００１５】
また、上述した実施例においては、フライした削り節を強制冷却せず、熱い状態の前記削り節に粉末の調味料を接触させて、味付けコーティングをしたが、場合により、フライした削り節を冷却（自然冷却を含む）し、その後、前記削り節を加熱機（図示せず）で加熱して削り節に粉末の調味料を接触させて、味付けコーティングをするようにしても良い。
【００１６】
また、上述した実施例においては、フライ削り節の製造方法の原料である削り節として鰹節の例を挙げて説明したが、本願発明にあっては、これに限らず、その他の節類、例えば、ソーダ節、鯖節、鰯節等でも同様に適用できるものである。